(57)【特許請求の範囲】
【請求項１】
凝縮器(22)が配設された機械室(18)の開口部(18a)に配設される枠状本体(28c)に、複数のスラット(38)が上下方向に離間して形成され、上下のスラット(38,38)間に画成された通風口(43)を介して機械室内に外部空気を取込むルーバにおいて、
前記スラット(38)は、水平な本体部(38a)の後端縁に上方へ突出する後垂直部(38b)が形成され、
前記上下のスラット(38,38)の間における幅方向両端部近傍の位置に、前記後垂直部(38b)に連設されて前記通風口(43)を閉成し、前記枠状本体(28c)の幅方向両端部に向かうにつれて機械室側の後方から前方へ向かってラウンドして該枠状本体(28c)の外表面に連続する壁面(45)を形成した
ことを特徴とするルーバ構造。
【請求項２】
前記後垂直部(38b)が形成された本体部(38a)の前端縁に下方へ突出する前垂直部(38c)が形成されて、前記スラット(38)は断面クランク形状を呈している請求項１記載のルーバ構造。
【発明の詳細な説明】
【０００１】
【発明の属する技術分野】
この発明は、ルーバ構造に関し、更に詳しくは、例えば自動製氷機の冷凍系の如く、ファンにより外部空気を凝縮器に吹付けて熱交換を行なうようにした装置に配設されるルーバであって、外部空気を取入れる通風口を画成するスラットに付着堆積した塵埃等を確実に掃拭し得るようにしたルーバ構造に関するものである。
【０００２】
【従来の技術】
筐体の内部に冷凍機構および製氷機構を備え、前記冷凍機構により冷却した製氷室で多数の氷塊を製造するよう構成した自動製氷機が、レストラン等の厨房施設で好適に使用されている。前記冷凍機構は、圧縮機、凝縮器、キャピラリーチューブ、蒸発器等から基本的に構成されて筐体内の機械室に配設され、前記蒸発器は製氷機構に配設されて製氷室を冷却するようになっている。冷凍機構の一部を構成する凝縮器は、機械室に設けた冷却ファンにより強制空冷して冷媒との間で熱交換を行なうものである。
【０００３】
前記製氷機における空冷式の凝縮器の熱交換に関連する構造を簡単に説明すると、製氷機１０の本体をなす筐体１２の前部には、図１０に示すように、内部画成した機械室１８と対応する位置に開口部１８ａが大きく開設され、この開口部１８ａに、ルーバ３６が一体に形成されたフロントパネル２８が着脱自在に配設される。図示例のフロントパネル２８は、図１１に示すように、空気吸込口として機能する吸込用ルーバ部３６ａと、空気吐出口として機能する吐出用ルーバ部３６ｂとが一体成形されている。そして機械室１８に配設された冷却ファン(図示せず)の回転に伴い吸込用ルーバ部３６ａを介して吸込まれた外部空気は、凝縮器２２に接触して熱交換された後、吐出用ルーバ部３６ｂを介して外部に吐出される。吸込用ルーバ部３６ａの内側には、該ルーバ部３６ａの全面を覆い得る寸法に設定されたフィルタ４６が配置されており、外部空気に混在する塵埃等を該フィルタ４６で捕集するようになっている。これにより、塵埃等が凝縮器２２に付着堆積するのを防ぎ、オーバーヒート等の発生を防止する。
【０００４】
【発明が解決しようとする課題】
前述した従来の技術に係るフロントパネル２８では、矩形状に形成された開口部６０に、上下方向に離間して複数のスラット６２を平行に配設することで吸込用ルーバ部３６ａが形成されているため、該スラット６２の上面には経時的に塵埃等が付着堆積する。従って、吸込用ルーバ部３６ａについては、定期的に清掃して塵埃等を除去する必要がある。この場合において、フロントパネル２８における開口部６０の内側面は、図１１に示すようにスラット６２に対して直交するよう形成されている。しかもこの吸込用ルーバ部３６ａの内側には、前記フィルタ４６が略接触状態で配設されている。このためスラット６２における開口部内側面に近接した部分に付着堆積した塵埃等は、掃拭に供される布体等がフィルタ４６と干渉することによって拭取り難くなってしまう。またこの部分に残留する塵埃は、保守点検時における清掃時にも充分に掃拭できず経時的に堆積して、不衛生になると云った懸念がある。
【０００５】
また前記スラット６２が小断面の平板状であるため、上下のスラット６２,６２の間から、前記フィルタ４６に付着している塵埃が外部から見えてしまい、見栄えが劣る難点がある。またスラット６２には、ルーバ３６の成形時に上または下方への反りや捻り等が発生し易く、品質的に不良となって経費の損失が大きくなる欠点がある。更には、スラット自体の強度が低く、外力が加わった際に破損し易い難点も指摘される。
【０００６】
【発明の目的】
本発明は、前述した従来の技術に内在している前記欠点に鑑み、これを好適に解決するべく提案されたものであって、ルーバに付着堆積した塵埃等を確実容易に掃拭し得、また強度を向上し得ると共に見栄えを良好とし得るルーバ構造を提供することを目的とする。
【０００７】
【課題を解決するための手段】
前記課題を克服し、所期の目的を達成するため、本発明に係るルーバ構造は、
凝縮器が配設された機械室の開口部に配設される枠状本体に、複数のスラットが上下方向に離間して形成され、上下のスラット間に画成された通風口を介して機械室内に外部空気を取込むルーバにおいて、
前記スラットは、水平な本体部の後端縁に上方へ突出する後垂直部が形成され、
前記上下のスラットの間における幅方向両端部近傍の位置に、前記後垂直部に連設されて前記通風口を閉成し、前記枠状本体の幅方向両端部に向かうにつれて機械室側の後方から前方へ向かってラウンドして該枠状本体の外表面に連続する壁面を形成したことを特徴とする。
【０００８】
【発明の実施の形態】
次に、本発明に係るルーバ構造につき、好適な実施例を挙げて、添付図面を参照しながら以下説明する。なお実施例では、ルーバ構造を自動製氷機に実施した場合で説明する。
【０００９】
図１および図２に示す如く、実施例に係る自動製氷機１０は、その本体をなす筐体１２の内部に、製氷機構(図示せず)で製造された氷塊を貯蔵するための貯氷室１４と、冷凍機構１６を収納する機械室１８とが上下の関係で画成されている。筐体１２の収納室１４と対応する前部には、前方に開放する矩形状の開口部が形成され、該開口部は、筐体１２の前面に回動自在に配設された扉２０により開閉自在に閉成されるよう構成される。
【００１０】
前記筐体１２に画成された前記機械室１８には、冷凍機構１６を構成する凝縮器２２、冷却ファン(図示せず)および圧縮機２４が、機械室２４の底部を構成する台板２６上に左側から右側に向けて順に配置されている(図１参照)。筐体１２の機械室１８と対応する前部には、前方に開放する矩形状の開口部１８ａが形成され、該開口部１８ａは、ルーバ３６が形成されたフロントパネル２８により開閉自在に塞がれるよう構成されている。また筐体１２を構成する左右の側面パネル３０,３０における機械室１８と対応する前部の夫々には、内側(他方の側面パネル側)に向けて直角に折曲された前面部３０ａが形成されると共に、該前面部３０ａの開放端から後方(機械室内)に向けて直角に折曲された折曲部３０ｂが形成される。そして、両折曲部３０ｂ,３０ｂおよび前記台板２６により、前記開口部１８ａが画成されるようになっている。
【００１１】
前記機械室１８に配置される凝縮器２２とフロントパネル２８との間には、空気の吸込側と吐出側とを区切るシュラウド３２が配設される。このシュラウド３２の前部には、前記左側面パネル３０に向けて折曲された前面部３２ａが形成され、この前面部３２ａと左側面パネル３０における前面部３０ａとの前面が同一面上に整列するよう設定されている。そして、フロントパネル２８で開口部１８ａを閉成した際に、シュラウド３２の前面部３２ａに該パネル２８の後述する仕切板３４が当接し、これにより空気の吸込側と吐出側とを遮蔽してショートサイクルによる熱交換効率の低下を防ぐよう構成してある。
【００１２】
前記フロントパネル２８は、図３〜図５に示す如く、後側に開放する矩形箱状に成形され、その外径寸法は前記開口部１８ａを覆い得る寸法に設定されている。このフロントパネル２８は、その上下寸法の全長に対して、上端から下方へ略２／３までの部位が、前後方向の厚みが大きく設定された上パネル部２８ａとされると共に、該上パネル部２８ａの下側から下端までの部位が、上パネル部２８ａの前後厚みの略１／３に厚みが設定された下パネル部２８ｂとされる。すなわちフロントパネル２８は、その前面下部が後方に凹む階段形状に成形されている。またフロントパネル２８の内部には、図４に示す如く、その幅方向(図の左右方向)の略中央を挟んで左右に離間する位置に一対の仕切板３４,３４が、その上下方向の全長に亘って形成され、該フロントパネル２８の内部に左右の空間ＳＬ,ＳＲを隔離した状態で画成するよう構成される。そして両空間ＳＬ,ＳＲに共通してフロントパネル２８の前面側にルーバ３６が開設される。このうち左空間ＳＬに対応する前面部は、空気吸込口として機能する吸込用ルーバ部３６ａとされ、右空間ＳＲに対応する前面部は、空気吐出口として機能する吐出用ルーバ部３６ｂとされる。
【００１３】
すなわち、前記ルーバ３６は、フロントパネル２８を形成する枠体部(枠状本体)２８ｃに、上下方向に所定間隔離間して複数のスラット３８を平行に配設して構成されたものであって、上下のスラット３８,３８間に画成された通風口４３を介して空気の出入りがなされる。前記スラット３８は、図５に示す如く、幅方向に水平に延在する本体部３８ａに対し、その後端縁に上方に突出する後垂直部３８ｂが一体に形成されると共に、その前端縁に下方へ突出する前垂直部３８ｃが一体に形成されて、全体として断面クランク形状を呈するよう構成される。なお、後垂直部３８ｂは、通風口４３の略１／２の高さに設定されている。
【００１４】
前記上下のスラット３８,３８の間における幅方向両端部近傍の位置には、通風口４３を閉成する壁面４５が後垂直部３８ｂに連設されると共に、該壁面４５の前面は、図４に示す如く、前記枠体部２８ｃの幅方向両端部に向かうにつれて後方から前方へ向かってラウンドして該枠体部２８ｃの外表面に連続するよう形成される。すなわち、壁面４５の前面をラウンドさせることで、スラット３８における本体部３８ａに付着堆積した塵埃等を確実かつ簡単に除去し得るよう構成される。
【００１５】
前記上パネル部２８ａにおける左空間ＳＬに臨む前面には、前記吸込用ルーバ部３６ａの形成位置より上部に、吸込用ルーバ部３６ａの幅寸法と略同一の幅寸法で挿脱口４１が開設され、該挿脱口４１を介して後述するフィルタ４６がフロントパネル２８の後側に前側から着脱自在に取付けられるよう構成される。また該挿脱口４１の後方には、図５および図６に示す如く、上部から下部に向かうにつれて挿脱口４１から後側に離間する弧状に傾斜する案内部４２が形成され、挿脱口４１に前側から挿入されるフィルタ４６の下端を該案内部４２で下方に向けて当接案内するよう構成される。案内部４２の下端の位置は、挿脱口４１の下端と略同一レベルに設定されており、当該案内部４２が、挿脱口４１を介して作業者の手指が機械室内に入るのを防止する機能を兼ねるようになっている。
【００１６】
前記フロントパネル２８の下面には、図２に示す如く、幅方向に離間して一対の係合片４４,４４が突設され、各係合片４４を、前記台板２６の前面対応個所に設けた被係合部２６ａに係合させた状態で、該フロントパネル２８の上部を筐体１２にネジ止めすることで、当該フロントパネル２８が開口部１８ａを閉成する状態で筐体１２に位置決め固定される。そして、フロントパネル２８で開口部１８ａを閉成したときに、図１に示す如く、図示左側の仕切板３４の開放端が、前記シュラウド３２の前面部３２ａにおける折曲部近傍に略当接し、これにより前記凝縮器２２とフロントパネル２８との間に画成される隙間を遮蔽し、前記吸込用ルーバ部３６ａから吸込まれた外部空気が、凝縮器２２を冷却することなく圧縮機側に流れるのを防止(ショートサイクルの防止)するよう構成してある。また前記シュラウド３２の前面部３２ａは、仕切板３４との当接部位から左方に所定長さで延在して、フロントパネル２８の後端に対して略平行に近接すると共に、前記左側面パネル３０の前面部３０ａが、フロントパネル２８の左空間ＳＬの後方において該パネル２８の後端に対して略平行に近接するよう臨んでおり、両前面部３０ａ,３２ａが、後述するフィルタ４６の幅方向両側部を案内するガイドとして機能するようになっている。
【００１７】
塵埃捕集用のフィルタ４６は、図６に示す如く、略矩形状に成形された弾性変形可能な合成樹脂製の本体４８に矩形状の開口部４８ａが形成されると共に、該本体４８には、所定メッシュの網体５２が開口部４８ａの全面を覆うように張設されている。また本体４８の幅寸法は、前記フロントパネル２８の挿脱口４１に挿脱可能な寸法に設定されると共に、その上下寸法は、フィルタ４６を挿脱口４１を介して左空間ＳＬ(フロントパネル２８の後側)に挿入した際に、該本体４８の下端が前記下パネル部２８ｂの下端近傍に臨み、前記全ての吸込用ルーバ部３６ａから吸込まれる空気中に含まれる塵埃を除去し得る寸法に設定される。
【００１８】
前記フィルタ４６の本体４８における開口部４８ａが形成される部位より上側には、図７に示す如く、前方に突出する基部５４が形成され、該基部５４の上下方向略中央に、後側に凹む凹部５４ａが形成されている。また、凹部５４ａと対応する基部５４の幅方向略中央の上部には、上下方向への弾性を有するロック爪５６が形成され、該ロック爪５６は、前記フロントパネル２８における挿脱口４１の後側に形成された係止部２８ｄに係脱自在に係合し、当該フィルタ４６をフロントパネル２８に保持するべく機能する。更に、ロック爪５６には前方に延出する操作片５８が一体に形成され、該操作片５８によりロック爪５６の係止部２８ｄに対するロック解除を行なうよう構成される。なおフィルタ本体４８の上部近傍、すなわち前記基部５４から所要長さ下方までの部位は、図に示すように、その前面が内周側となる弧状に湾曲形成されて、当該フィルタ４６の前記挿脱口４１に対する挿脱を容易に行ない得るようになっている。
【００１９】
【実施例の作用】
次に、実施例に係るルーバ構造の作用につき説明する。前記自動製氷機の運転に際して前記機械室１８に配設した冷却ファン(図示せず)を回転させることにより、吸込用ルーバ部３６ａを介して外部空気が機械室内に吸引されるが、この際に該吸込用ルーバ部３６ａにおける前記スラット３８の本体部３８ａ上面に、該空気に混在した塵埃等が経時的に付着堆積する。この塵埃等を掃拭するに際しては、前記仕切板３４に近接した個所の本体部３８ａから該フロントパネル２８の前記枠体部２８ｃにおける幅方向両側部に向けて布体(図示せず)を移動させる。この場合において、前記吸込用ルーバ部３６ａおよび吐出用ルーバ３６ｂの各幅方向端部近傍には、前述したように枠体部２８ｃの側部外表面に向けてラウンドする壁面４５が夫々形成されている。従って、枠体部２８ｃに向けて集められた塵埃は、前記壁面４５に沿って枠体部２８ｃの外表面へ案内されて、スラット３８の上部から確実に除去される。
【００２０】
前記スラット３８は、本体部３８ａおよび前後の垂直部３８ｂ,３８ｃにより、所謂クランク状に形成されている。このため外部空気と共に吸引される塵埃等は、フロントパネル２８の前端面より後側(機械室側)に位置した部分、すなわち前記後垂直部３８ｂと本体部３８ａとの角部に最も付着堆積することになり、フロントパネル２８(ルーバ３６)外部から塵埃等が視認し難く、清潔感(見栄え)を長期に亘って良好に保持し得る。
【００２１】
以上説明したように、実施例のルーバ構造によれば、ルーバ３６の各スラット３８に付着堆積した塵埃等を、壁面４５を介して確実かつ容易に除去でき、常に衛生的に保持し得る。また、ルーバ３６におけるスラット３８の断面形状をクランク状としたことで、スラット３８およびルーバ３６自体の強度を向上し、外力が加わった際に破損するのを防止することができる。更に、ルーバ成形時にスラット３８が上下に反ったり捩じれるのを抑制することができるから、不良品の発生率を低減して経費の損失を低く抑えることに寄与する。
【００２２】
【変更例について】
なお、図８および図９に示すように、スラット３８に前後の垂直部３８ｂ,３８ｃを形成せずに、その前後方向に全面的に開放したタイプのルーバ３６においても、前記壁面４５を形成することで同様の効果が期待できる。また実施例では、フロントパネルにルーバを一体的に形成した場合で説明したが、フロントパネルとルーバとを夫々独立に成形し、このルーバをフロントパネルに着脱自在に配設するタイプであっても、ルーバを構成する上下のスラットの間における幅方向両端部に、枠状本体の外表面に連続するようラウンドする壁面を形成することで、塵埃等の掃拭を確実かつ容易に行なうことができる。
【００２３】
なお図示の実施例では、自動製氷機における冷凍機構の凝縮器を空冷する際のルーバ構造に関して説明したが、本発明の応用範囲はこの実施例に限定されるものではない。筐体に画成した機械室に凝縮器等の熱交換器を備え、この機械室の開口部をルーバ部付きパネルで塞ぐと共に、該ルーバ部を介して吸込んだ外部空気を前記熱交換器に接触させて熱交換を行なう基本構造を有する、例えば冷蔵庫、冷凍庫、あるいは空調器等の装置であれば、本発明に係るルーバ構造を実施し得る。
【００２４】
【発明の効果】
以上説明した如く、本発明に係るルーバ構造によれば、上下のスラットの間における幅方向両端部近傍の位置に、枠状本体の外表面に向けてラウンドする壁面を形成したので、布体等の清掃具でスラットを掃拭することにより、該スラットに付着堆積した塵埃等を枠状本体の外表面側に案内して確実に除去することができ、常に衛生的に保持し得る。またスラットの断面形状をクランク状に形成することで、塵埃等がスラットに堆積している場合であっても、該塵埃等は外部から視認し難くなり、ルーバの汚れ等を目立たなくする利点がある。更には、スラットおよびルーバ自体の強度を向上し得る効果も奏する。
【図面の簡単な説明】
【図１】  本発明の実施例に係るルーバ構造が採用される自動製氷機の要部横断平面図である。
【図２】  実施例に係る自動製氷機を示す正面図である。
【図３】  実施例のフロントパネルを示す正面図である。
【図４】  実施例のフロントパネルを示す横断平面図である。
【図５】  実施例のフロントパネルの縦断側面図である。
【図６】  実施例のフロントパネルにフィルタを装着した状態で示す縦断側面図である。
【図７】  フィルタを装着したフロントパネルの要部縦断面図である。
【図８】  変更例のフロントパネルを示す正面図である。
【図９】  変更例のフロントパネルを示す横断平面図である。
【図１０】  従来の技術に係るルーバ構造を採用したフロントパネルを示す縦断側面図である。
【図１１】  図１０に示すフロントパネルの横断平面図である。
【符号の説明】
１８ 機械室，１８ａ 開口部，２２ 凝縮器，２８ｃ 枠体部(枠状本体)
３８ スラット，３８ａ 本体部，３８ｂ 後垂直部，３８ｃ 前垂直部
４３ 通風口，４５ 壁面
【図１】
0003694191.tif 000002
【図２】
0003694191.tif 000003
【図３】
0003694191.tif 000004
【図４】
0003694191.tif 000005
【図５】
0003694191.tif 000006
【図６】
0003694191.tif 000007
【図７】
0003694191.tif 000008
【図８】
0003694191.tif 000009
【図９】
0003694191.tif 000010
【図１０】
0003694191.tif 000011
【図１１】
0003694191.tif 000012